(57)【要約】【課題】擁壁設置部の下部に位置して所定の深さ埋設され、根入れ部としての機能を果たす土留め擁壁形成用の基礎ブロックにおいて、非土留め面側道路面等が傾斜している場合にも適切な排水機能を付与する。【解決手段】擁壁設置部の下部に位置して所定の深さ埋設され、根入れ部としての機能を果たす土留め擁壁形成用の基礎ブロックであって、内側に排水溝を有するとともに、非土留め部側の側壁部の下端部側から上端部側にかけて、当該排水溝に連通する水導入用の開口を形成した。【選択図】        図１
2012122293.tif 000002
【特許請求の範囲】
【請求項１】
擁壁設置部の下部に位置して所定の深さ埋設され、根入れ部としての機能を果たす土留め擁壁形成用の基礎ブロックであって、内側に排水溝を有するとともに、非土留め部側の側壁部の下端部側から上端部側にかけて、当該排水溝に連通する水導入用の開口が形成されていることを特徴とする擁壁形成用の基礎ブロック。
【請求項２】
水導入用の開口は、側壁部の下端部側から上端部側まで連続して形成されていることを特徴とする請求項１記載の擁壁形成用の基礎ブロック。
【請求項３】
水導入用の開口は、側壁部の下端部側から上端部側にかけて所定の間隔を置いて間欠的に形成されていることを特徴とする請求項１記載の擁壁形成用の基礎ブロック。
【発明の詳細な説明】
【技術分野】
【０００１】
本願発明は、道路脇の傾斜面地等の所定の高低差を有する段差面における高壁面側の土留めを図る擁壁形成用の基礎ブロックの構造に関するものである。
【背景技術】
【０００２】
例えば道路に対して、道路よりも高さの高い宅地等の造成地や山の傾斜面が隣接するような場合には、道路面側高壁面の土留めを図る必要がある。
【０００３】
このような場合、従来の構成では、例えばＬ型ブロックなどの成型ブロック材を用いて擁壁部を形成し、同擁壁部によって土留めを図る構造が採用されていた（例えば特許文献１中の記載を参照）。
【先行技術文献】
【特許文献】
【０００４】
【特許文献１】特開２００６−２８３２９２号公報
【発明の概要】
【発明が解決しようとする課題】
【０００５】
ところが、上記従来例の内のＬ型ブロックを用いた擁壁構造の場合、例えば図１３に示すように、次のような問題があった。
【０００６】
例えば図示擁壁高Ｈが１〜５ｍのＬ型ブロック４０（側壁部４０ａ、底壁部４０ｂ）の場合だと、規定上、洗掘防止の見地から少なくとも３０〜５０ｃｍの根入れ深さｈが必要であり、その分底壁部４０ｂの幅Ｗａに応じた幅よりも少し広い幅Ｗａ′の溝を掘る必要がある。
【０００７】
このため、設置部の掘削範囲が広く、また掘削量が多くなり、擁壁設置作業に時間がかかる。
【０００８】
また、図１３から明らかなように、根入れ部の深さｈ分だけ道路部Ａから上方に延びる側壁部４０ａの高さが低くなるため（Ｈ−ｈ）、最初から同根入れ部の深さｈの減少分を見込んだ高擁壁高ＨのＬ型ブロック（大型のもの）を準備しなければ、造成地Ｂの高さに対応することができない。
【０００９】
その結果、さらにＬ型ブロック４０の底壁部４０ｂの幅Ｗａも拡大され、上記根入れのための掘削範囲が広くなり、掘削量も多くなる。
【００１０】
さらに、ブロック材が大型化した分だけ、コストもアップする。
【００１１】
また、道路部Ａの側方には、例えば図１４に示すように、断面Ｕ状の排水路（排水溝）５０を設けることが多い。その場合、従来の擁壁構造の場合、上記のように掘削範囲が拡大されることに加えて、同排水路５０の幅Ｗｏ分だけ道路幅Ｗｃが狭くなる問題がある。
【００１２】
そこで、このような問題を解決するために、例えば擁壁設置部の下部に位置して所定の深さ埋設され、根入れ部としての機能を果たす土留め擁壁形成用の基礎ブロックを形成し、その内側に排水溝を設けるとともに、その道路部Ａ側等非土留め部側の側壁部に水導入用の開口を形成し、道路部Ａ側の水を水導入口を介して排水溝部分に導入し、下流側に排出することが考えられる（例えば本件出願人の先願である特願２０１０−２０９４１４号の明細書および図面を参照）。
【００１３】
このような構成によると、基礎上げ部が根入れ部として機能するので、上部に比べて底部の幅が広い擁壁部自体は、埋設する必要がなくなる。つまり、根入れが不要となる。その結果、同擁壁部の擁壁高は、そのままの高さか、または所定寸法低くて済むようになり、コストが低減される。
【００１４】
そして、上記基礎ブロックは、内部に排水溝を備えており、側壁部に設けられた水導入口を介して道路部等非土留め面側の水を排水溝に導入して、下流側に排出することができるようになる。したがって、図１４のようなＵ状の排水路が不要となり、道路の幅も有効に拡大される。
【００１５】
ところが、このような構成の場合にも、例えば道路面等非土留め部側上面が傾斜面となっていると、上記水導入口と道路面等非土留め部側上面が対応せず、適切な水の導入が不可能となる問題が発生する。
【００１６】
もちろん、基礎ブロック側水導入口の位置を当該非土留め部側上面の傾斜状態に合わせて形成することが考えられるが、プレキャスト構造の基礎ブロックでは、そのような対応は不可能である。
【００１７】
本願発明は、以上のような問題を解決するためになされたもので、擁壁設置部の下部に位置して所定の深さ埋設され、根入れ部としての機能を果たす土留め擁壁形成用の基礎ブロックにおいて、その内側に排水溝を設けるとともに、その道路部側等非土留め部側の側壁部の下端部側から上端部側にかけて水導入用の開口を形成し、道路面等非土留め部上面側の傾斜によって道路面等非土留め部上面側の高さが変化しても、それに対応して適切に水を導入できるようにした擁壁形成用の基礎ブロックを提供することを目的とするものである。
【課題を解決するための手段】
【００１８】
本願各発明は、上記の目的を達成するために、それぞれ次のような課題解決手段を備えて構成されている。
【００１９】
（１）  請求項１記載の発明
この発明は、擁壁設置部の下部に位置して所定の深さ埋設され、根入れ部としての機能を果たす土留め擁壁形成用の基礎ブロックであって、内側に排水溝を有するとともに、非土留め部側の側壁部の下端部側から上端部側にかけて、当該排水溝に連通する水導入用の開口が形成されていることを特徴としている。
【００２０】
このような構成によると、基礎ブロックが根入れ部として機能するので、擁壁部自体は埋設する必要がなくなる。つまり、根入れが不要となる。その結果、同擁壁部の擁壁高は、そのままの高さか、または所定寸法低くて済むようになる。その結果、コストが低減される。
【００２１】
そして、上記基礎ブロックは、内部に排水溝を備えており、しかも、その非土留め部側側壁部の下端部側から上端部側に長く延びる形で、例えば連続的又は間欠的に配設された水導入口を介して、道路面等非土留め部側上面の水を導入するようになっており、同上下方向に延びる形で配設された水導入用の開口部が道路面等非土留め部側上面の高さの変化に対応することができるので、道路面等非土留め部上面側の傾斜状態如何に拘わらず、その上面側の水を適切に導入して、下流側に排出することができるようになる。
【００２２】
したがって、従来一般的に道路脇に設置されているようなＵ状の排水路が不要となり、道路の幅も有効に拡大される。
【００２３】
（２）  請求項２記載の発明
この発明は、上記請求項１の発明の構成において、水導入用の開口は、側壁部の下端部側から上端部側にかけて、連続して形成されていることを特徴としている。
【００２４】
このような構成によると、非土留め部側の側壁部の下端部側から上端部側にかけて、連続する形で開口している水導入用の開口によって、道路面等非土留め部上面側の傾斜状態如何にかかわらず、適切な水の導入が可能となる。
【００２５】
（３）  請求項３記載の発明
この発明は、上記請求項１の発明の構成において、水導入用の開口は、側壁部の下端部側から上端部側にかけて、所定の間隔を置いて間欠的に形成されていることを特徴としている。
【００２６】
このような構成によると、非土留め部側の側壁部の下端部側から上端部側まで所定の間隔を置いて間欠的に配設される形で開口している水導入用の開口によって、道路面等非土留め部上面側の傾斜状態如何にかかわらず、適切な水の導入が可能となる。
【発明の効果】
【００２７】
以上の結果、本願発明によると、道路面等非土留め部上面の傾斜によって、基礎ブロック側壁部の水導入口に対する道路面等非土留め部上面側の高さが変化しても、それに対応して適切に水を導入できるようにした擁壁形成用の基礎ブロックを低コストに実現することができる。
【図面の簡単な説明】
【００２８】
【図１】本願発明の基礎ブロックを用いた本願発明の実施の形態１に係る土留め用擁壁構造の構成を示す横断面図である。
【図２】同擁壁構造の構成を示す図１の左側方から見た図である。
【図３】同擁壁構造の基礎ブロック部における水導入口の設置形態を示す縦断面図（図１のＩ−Ｉ線断面図）である。
【図４】同擁壁構造における各部の寸法関係を示す図１と同様の横断面図である。
【図５】同擁壁構造における道路部が傾斜した状態に対応した複数のブロックの設置形態を示す図である。
【図６】本願発明の基礎ブロックを用いた本願発明の実施の形態２に係る土留め用擁壁構造の構成を示す横断面図である。
【図７】本願発明の基礎ブロックを用いた本願発明の実施の形態３に係る土留め用擁壁構造の構成を示す横断面図である。
【図８】本願発明の基礎ブロックを用いた本願発明の実施の形態４に係る土留め用擁壁構造の構成を示す横断面図である。
【図９】同擁壁構造の基礎ブロック部における水導入口の設置形態を示す図３と同様の縦断面図である。
【図１０】同擁壁構造における道路部が傾斜した状態に対応した複数のブロックの設置形態を示す図である。
【図１１】本願発明の基礎ブロックを用いた本願発明の実施の形態５に係る土留め用擁壁構造の構成を示す横断面図である。
【図１２】本願発明の基礎ブロックを用いた本願発明の実施の形態６に係る土留め用擁壁構造の構成を示す横断面図である。
【図１３】従来の土留め用擁壁構造の基本例（排水路なし）の構成を示す横断面図である。
【図１４】同従来の土留め用擁壁構造の変形例（排水路あり）の構成を示す横断面図である。
【発明を実施するための形態】
【００２９】
以下、本願発明の実施形態について、添付の図面を参照しながら詳細に説明する。
【００３０】
（実施の形態１）
先ず図１〜図４は、本願発明の擁壁形成用基礎ブロックを用いた本願発明の実施の形態１に係る土留め用擁壁構造の構成を示している。
【００３１】
この実施の形態の土留め用擁壁構造は、一例として、道路部Ａと造成地部Ｂとの間の段差面部等擁壁設置部Ｃの下部に位置して所定の深さ埋設され、根入れ部としての機能を果たす基礎ブロック１と、該基礎ブロック１の上部に設置され、土留め機能を果たす断面Ｌ型の擁壁ブロック４とからなり、上記基礎ブロック１の幅Ｗｂは上記擁壁ブロック４の底壁部４ｂの幅Ｗａよりも遥かに小さく形成されている（図４参照）。
【００３２】
基礎ブロック１は、一例として、横方向（水平方向）の幅Ｗｂに比べて縦方向（上下方向）の高さＨａが少し大きい断面略長方形状（もちろん、他の例として正方形状の場合でもかまわない）の角筒体構造をなし、その天面部は開放されて蓋２が掛けられる構造になっているとともに、内側には、例えば断面略長方形状の排水溝３が形成されている。
【００３３】
基礎ブロック１は、上述した擁壁設置部Ｃにおいて、その横方向の幅Ｗｂに応じた幅よりも少し広い幅Ｗｂ′で、かつ所定の深さの溝９（同じく図４参照）を掘り、同溝９の底部に基礎砕石５を埋込み、その上にモルタル（またはコンクリート）６を敷いた上で設置し、この実施形態の場合、例えば道路部Ａの道路面よりも少し高くなる状態に埋設される。
【００３４】
また、擁壁ブロック４は、造成地部Ｂの高さに応じた高さＨの上下方向に延びる側壁部（側板部）４ａと該側壁部４ａの下端部から直角に曲成され、上記造成地部Ｂの下方部に向けて水平方向に延びる底壁部（底板部）４ｂとからなり、底壁部４ｂの幅Ｗａは、上記側壁部４ａの高さＨに応じて安定した擁壁機能を果たすことができる寸法（例えば０．６Ｈ〜０．７Ｈ）のものとなっている。
【００３５】
この擁壁ブロック４は、例えば図１に示すように、上記基礎ブロック１の蓋２が掛けられた状態においてフラットで水平方向に面一に拡がる天面部１ｄ上に、底壁部４ｂの基端側（コーナー部側）を載置し、側壁部４ａの反造成地側外側面（道路側面）と基礎ブロック１の反造成地側外側面（道路側面）とが上下方向に面一な状態となるように組み合わせて上下方向に積層される。
【００３６】
この時、上記基礎ブロック１の天面部１ｄより低い造成地Ｂ側の下層部分に、上記基礎ブロック１の設置時と同様に所定の深さの溝を掘り、上記基礎砕石５と敷モルタル（またはコンクリート）６とによって上記天面部１ｄと同じ高さの支持面を形成した上で（もちろん、この場合、先ずコンクリートを打設し、その上面に敷モルタルすることも可能である）、上記擁壁ブロック４を設置し、その底壁部４ｂの基礎ブロック１の天面部１ｄから造成地Ｂ側に延出された部分を支持する。
【００３７】
そして、その上で、上記擁壁ブロック４の内側に土を盛り、十分に締め固めることにより、安定した土留め機能を発揮させる。
【００３８】
この場合、上記基礎ブロック１の道路部Ａ側の側壁部１ｂには、その下端部側から上端部側にかけて、例えば図２および図３に示すように、一例として、等径で上下方向に長いスリット構造の水導入口７ａ，７ａ・・・が長手方向に所定の間隔を保って多数個並設されおり、その上下方向の長さＨｂによって道路部Ａ側道路面の傾斜状態（勾配ｉ％）如何にかかわらず、道路部Ａ側の雨水等が確実に導入されるように設置され、上記水導入口７ａ，７ａ・・・によって案内導入された雨水は排水溝３を通して下流側に排出される。
【００３９】
これは、道路部Ａの傾斜状態に応じて、複数の基礎ブロック１，１・・・および擁壁ブロック４，４・・・が並設される場合にも全く同様であり、下段側ほど高くなる擁壁高Ｈに合った側壁高の擁壁ブロック４を採用して設置することにより、図５のように、全体としても適切に道路部Ａ面上の水を導入できる状態で施工することができる。
【００４０】
そして、この場合、上述のように基礎ブロック１の設置工事が終わった上記蓋２を掛ける前の排水溝３のオープン状態において、相互に段階状に連続する各排水溝３，３・・・の底部には、例えば上段側の排水溝３の下流端側底部に連続する形で、所定の厚さのコンクリート８が打たれ、相互に開口部が重なり合う形で上段側から下段側に連接される排水溝３の底部面３ａが段差のない傾斜面状態で連続して行く様に施工される。
【００４１】
以上のような基礎ブロック１および同基礎ブロック１を用いた擁壁構造によると、上記コンクリートブロック構造の基礎ブロック１が根入れ部として機能するので、断面Ｌ型で底壁部４ｂの幅が広いコンクリートブロック構造の擁壁ブロック４の底壁部４ｂは、土中に埋設する必要がなくなる。つまり、根入れが不要となる。
【００４２】
その結果、同擁壁ブロック４の擁壁高Ｈは、そのままの高さのものか、または同そのままの高さのものよりも所定寸法低い小型のものを利用することができることになる。その結果、コストが低減される。
【００４３】
一方、根入れ部として機能する上記基礎ブロック１は、上記コンクリートブロック構造の擁壁ブロック４の側壁部４ａの下方に位置して、しかも上記擁壁ブロック４の底壁部４ｂの幅Ｗａよりも遥かに小さな幅Ｗｂに形成されているから、必然的に同基礎ブロック１設置のための掘削幅は、上述した従来の構成に比べて遥かに小さくて済み、もちろん掘削量も大きく減少する。したがって、設置作業も容易になる。
【００４４】
また、上記基礎ブロック１は、内部に排水溝３を備えており、側壁部１ｂの水導入口７ａ，７ａ・・・を介して道路部Ａ面側の雨水を導入し、下流側に排出することができるようになっているので、従来一般的に道路脇に設置されているようなＵ状の排水路（前述した図１４中の符号５０を参照）が不要となる。その結果、道路部Ａの幅が有効に拡大される。
【００４５】
なお、この場合、必要に応じて、上記造成地Ｂ側の土中に含まれている水を排水溝３内に導入する通水孔７ｂ，７ｂ・・・も形成され、造成地Ｂ中の水も排水溝３内に導入されて下流側に排出される。
【００４６】
また、このように排水溝３を形成するようにすると、形成しない場合に比べて基礎ブロック１自体のコンクリート材料を大きく節減することができ、その点でも、さらにコストを低減することができる。
【００４７】
しかも、この場合、上記排水溝３は上下方向に長く、図５のように道路部Ａの勾配に応じて順次所定の段差を有して設置された場合にも、相互に開口面が重なり合う形で確実に連通して配設されることになる。
【００４８】
そして、その道路部Ａ側の側壁部１ｂには、当該側壁部１ｂの下端部側から上端部側にかけて、例えば等しい開口径で上下方向に連続する形で長く延びるスリット構造の水導入口７ａ，７ａ・・・（高さＨｂ・・・図４参照）が設けられており、同水導入口７ａ，７ａ・・・を介して水を導入するようになっており、同上下方向に長く延びる水導入口７ａ，７ａ・・・が、その高さＨｂにより道路部Ａ上面の高さの変化（段差）に十分に対応することができるので、道路部Ａ上面側の傾斜状態如何に拘わらず、その上面側の水を排水溝３内に適切に導入して、下流側に排出することができるようになる。
【００４９】
（変形例）
なお、上記側壁部１ｂ部分の排水溝３に連通する水導入口７ａ，７ａ・・・は、もちろん上述のように上下方向にストレートに延びるもののみに限られるものではなく、例えば一定の傾斜角を有して斜目方向に延びるもの、また上下方向に連続するものではなく、所定の間隔を置いて上下方向に間欠的に配設された複数の孔部よりなるもの（その場合、長手方向に所定の間隔を置いて上下方向に整列するものだけでなく、側壁部１ｂの全体に亘って多数点在させるものも含む）、またスリット構造のものと上下方向の複数の孔部構造のものを交互に組み合わせたもの、さらにはスリット構造の場合において下方から上方に等径でなく、径の異なるものとしたものなども、自由に採用することができる。
【００５０】
（実施の形態２）
次に図６は、本願発明の基礎ブロックおよび同本願発明の基礎ブロックを用いた実施の形態２に係る土留め用擁壁構造の構成を示している。
【００５１】
この実施の形態のものは、上記実施の形態１の構成における基礎ブロック１の天面部１ｄ側を蓋２のない全オープン型のものとし、蓋掛け用の凹部３ｂも無くしたものとしたことを特徴とするものであり、その他の構成は基本的に上記実施の形態１のものと全く同様であり、同様の作用を奏する。
【００５２】
このような構成では、蓋２および蓋掛け作業が不要となり、その分コストが低減される。
【００５３】
（実施の形態３）
次に図７は、本願発明の基礎ブロックおよび同本願発明の基礎ブロックを用いた実施の形態３に係る土留め用擁壁構造の構成を示している。
【００５４】
この実施の形態のものは、上記実施の形態１の構成における基礎ブロック１において、その道路部Ａ側の側壁部１ｂの上端側に擁壁ブロック４係止用の係止片１ｅを設けたことを特徴とするものであり、その他の構成は基本的に上記実施の形態１のものと同様であり、同様の作用を奏する。
【００５５】
このような構成では、基礎ブロック１に対面する上記断面Ｌ型の擁壁ブロック４の基端部が確実に係止されるようになり、擁壁ブロック４の設置状態の安定度が向上する。
【００５６】
（実施の形態４）
次に図８〜図１０は、本願発明の基礎ブロックおよび同本願発明の基礎ブロックを用いた実施の形態４に係る土留め用擁壁構造の構成を示している。
【００５７】
この実施の形態のものは、上記実施の形態１の構成における基礎ブロック１の水導入口７ａ，７ａ・・・を、その道路部Ａ側側壁部１ｂの下端部側から上端部に到る途中までではなく、上端面側（天面１ｄ側）まで連続的に開口したものとし、しかも道路部Ａ側の開口面を広くしたことを特徴とするものであり、その他の構成は基本的に上記実施の形態２のものと同様であり、同様の作用を奏する。
【００５８】
すなわち、図８〜図１０の構成では、上述の実施形態２のものと同様に蓋２のない全オープン型の基礎ブロック１の側壁部１ｂが上記断面Ｌ型の擁壁ブロック４の側壁部４ａと面一な状態で、その下方に位置する形で設置されており、その天面１ｄ側は蓋２を設けることなく、Ｕ状に開放されている。
【００５９】
そして、上記側壁部１ｂの水導入口７ａ，７ａ・・・は、例えば図８のように、上記側壁部１ｂの下端部側から上端部側上端面まで連続して延び、その下端側から上端面までの道路部Ａ面側開口部７２の全体が道路部Ａの道路面側に開放されている。
【００６０】
この水導入口７ａ，７ａ・・・の道路部Ａ面側の開口部７２は、例えば図９に示すように、排水溝３側に貫通する主口部７１部分に比べて左右方向に幅が広く形成され、水を導入しやすくなっている。
【００６１】
そして、設置時において、道路部Ａの道路面から道路部Ａ面側開口部７２の下端までの間には、上記主口部７１部分への土砂の流入を防ぐための鉄板その他の土砂流入防止板１０が介設される。
【００６２】
このような構成によると、上下方向に長く開口された水導入口７ａ，７ａ・・・の道路部Ａ側開口部７２の上下方向長さが上述の実施の形態１〜３の場合よりも長くなり、例えば図１０のように、道路部Ａの勾配が一層大きな場合にも十分に余裕をもって対応できるようになる。
【００６３】
また、水導入口７ａ，７ａ・・・の道路部Ａ面側開口部７２の開口面積が広いことから、水の導入効率も向上する。
【００６４】
（変形例）
なお、この実施の形態４では、上記水導入口７ａ，７ａ・・・の道路部Ａ面側の幅の広い開口部７２は、例えば図９に示すように、排水溝３側に貫通する主口部７１部分の全体に対応して、その下端側から上端面まで形成されているが、これは下端側上方部の途中位置から上方部までを部分的に広くする構成でもよい。
【００６５】
（実施の形態５）
次に図１１は、本願発明の基礎ブロックおよび同本願発明の基礎ブロックを用いた実施の形態５に係る土留め用擁壁構造の構成を示している。
【００６６】
この実施の形態のものは、上記実施の形態４の構成において、基礎ブロック１の天面部１ｄ上に設置される擁壁ブロック４を、水導入口７ａ，７ａ・・・の天面１ｄ側開口部を避けた状態で設置することによって、道路部Ａの道路面と基礎ブロック１の天面１ｄとが同一面となる状態で設置できるようにしたことを特徴とするものである。
【００６７】
このようにしても、水導入口７ａ，７ａ・・・は、その天面１ｄ側の開口部から水の導入が可能となる。
【００６８】
（実施の形態６）
次に図１２は、本願発明の基礎ブロックおよび同本願発明の基礎ブロックを用いた実施の形態６に係る土留め用擁壁構造の構成を示している。
【００６９】
この実施の形態のものは、上記実施の形態５と同様の構成を、上記実施の形態１と同様の蓋掛け型の基礎ブロックによって実現したことを特徴とするものである。
【００７０】
その他の構成は、実施の形態１および５のものと全く同様であり、同様の作用を奏する。
【００７１】
（変形例）
実施の形態４〜６のような構成の場合、道路面Ａ側側壁部１ｂの前面側に水導入口７ａ，７ａ・・・が下端側から上面側まで大きく開放されることになるので、上述のように同水導入口７ａ，７ａ・・・に対面する道路面Ａ側から土砂等が流入する可能性がある。
【００７２】
そこで、同構成を採用する場合には、それぞれ図示のように、必要に応じて、道路面から所定の深さ位置まで鉄板その他の土砂流入防止板１０を設けるようにするが、これは例えば道路部Ａ面側にモルタルを押し込んで土砂等が流入しないようにする構成でもよい。
【符号の説明】
【００７３】
１は基礎ブロック、１ａは底壁部、１ｂは道路部側の側壁部、１ｃは造成地側の側壁部、１ｄは天面部、２は蓋、３は排水溝、３ｂは蓋掛用の凹部、４は擁壁ブロック、４ａは側壁部、４ｂは底壁部、７ａは水導入口である。
【図１】
2012122293.tif 000003
【図２】
2012122293.tif 000004
【図３】
2012122293.tif 000005
【図４】
2012122293.tif 000006
【図５】
2012122293.tif 000007
【図６】
2012122293.tif 000008
【図７】
2012122293.tif 000009
【図８】
2012122293.tif 000010
【図９】
2012122293.tif 000011
【図１０】
2012122293.tif 000012
【図１１】
2012122293.tif 000013
【図１２】
2012122293.tif 000014
【図１３】
2012122293.tif 000015
【図１４】
2012122293.tif 000016